(57)【要約】      （修正有）【課題】宅配ボックスが普通サイズであってもそれよりも大きなサイズの宅配便を受け入れ可能であり、盗難に対して万全に施錠できる宅配受け箱を提供する。【解決手段】宅配荷物を投入し得る前面開放型の宅配ボックスが少なくとも上下二段に配置され、上下宅配ボックスのうち少なくとも上部の宅配ボックスにロック装置の開閉扉が装備されている宅配受け箱において、両宅配ボックスの間に、両方の内部空間を通しに形成するとともに、その間に仕切棚を開閉可能に設け、「開」において宅配荷物を両方の内部空間にわたって投入できるように構成した。【選択図】図１
0003211602.tif 000002
【実用新案登録請求の範囲】
【請求項１】
宅配荷物を投入し得る前面開放型の宅配ボックスが少なくとも上下二段に配置され、上下宅配ボックスのうち少なくとも上部の宅配ボックスにロック装置の開閉扉が装備され、上下宅配ボックスの間に、両方の内部空間を通しに形成するとともに、その間に仕切棚を開閉可能に設け、「開」において宅配荷物を両方の内部空間にわたって投入できるように構成したことを特徴とする施錠式宅配受け箱。
【請求項２】
複数段の宅配ボックスのうち、上段の宅配ボックスがロック装置付きであって、該複数段の宅配ボックスが横に並列されてなることを特徴とする請求項１記載の施錠式宅配受け箱。
【請求項３】
屋内と又は屋内及び携帯電話と通話できるインターフォンを装備してなることを特徴とする請求項１または２記載の施錠式宅配受け。
【考案の詳細な説明】
【技術分野】
【０００１】
この考案は、留守中にも宅配荷物を安全に受け取ることができるように玄関等に設置する盗難防止用の施錠式宅配受け箱に関する。
【背景技術】
【０００２】
先に本出願人においては、宅配荷物を投入し得る前面開放型の宅配ボックスを上下２段に設け、それぞれに扉の自動ロック装置を備えた施錠式宅配受け箱を提案した。これによると、ロック付きの受箱が上下に配置されていることから、重要な荷物の保管外れがなくなることで盗難が免れ得るため、盗難防止に万全であるが、各宅配ボックスに高さを多く取ることができないので、配達を受け入れる荷物に高さの制約を受け、荷物がはみ出るために施錠できない場合もあった。
【考案の概要】
【考案が解決しようとする課題】
【０００３】
宅配便は、多くの場合、サイズが段階的に異なる段ボール箱に詰めて配達されるが、大きいサイズの使用割合が少ないため、そのような特別な場合に備えて施錠式宅配受け箱を大型化することは、コスト的に、場所的に合理性に欠けるという問題があった。
【０００４】
この考案は、上記のような実情に鑑みて、宅配ボックスが普通サイズであってもそれよりも大きなサイズの宅配便に受け入れ可能であるため、盗難に対して万全に施錠できる宅配受け箱を提供することを課題とした。
【課題を解決するための手段】
【０００５】
上記の課題を解決するために、この考案は、宅配荷物を投入し得る前面開放型の宅配ボックスが少なくとも上下二段に配置され、上下宅配ボックスのうち少なくとも上部の宅配ボックスにロック装置の開閉扉が装備されている宅配受けにおいて、両宅配ボックスの間に、両方の内部空間を通しに形成するとともに、その間に仕切棚を開閉可能に設け、「開」において宅配荷物を両方の内部空間にわたって投入できるように構成したことを特徴とする施錠式宅配受け箱を提供する。
【０００６】
施錠式宅配受け箱を上記のように構成したから、留守中に宅配荷物を渡すために扉を開いても、宅配業者は荷物が大きすぎて入らないために開閉扉を閉じにロックできないことが分かった時には、内部の仕切棚を通しに開き、拡張した内部空間に荷物を納めることにより開閉扉を閉じ、ロック装置を効かせることができる。なお、このロック装置は、自動ロック方式が好ましい。
【考案の効果】
【０００７】
以上説明したように、この考案の施錠式宅配受け箱によれば、上下の宅配ボックスにより嵩張る宅配を受け入れ、特に自動ロック方式により留守中でも安全に受けることができるだけでなく、背丈の過剰な嵩便であっても、ロック装置をきかせ留守中の保管を安全になし得るという優れた効果がある。
【図面の簡単な説明】
【０００８】
【図１】この考案による一実施例を示す盗難防止用の施錠式宅配受け箱の斜視図である。
【図２】別の宅配受け箱の正面図である。
【図３】自動ロック装置付き宅配受け箱の一部拡大した正面図である。
【図４】宅配受け箱の内部構造を側面から見た説明図である。
【図５】他の実施例を示す内部構造の側面から見た説明図である。
【図６】さらに他の実施例を示す内部構造の正面から見た説明図である。
【図７】他の実施例を示す多列形態の施錠式宅配受け箱の斜視説明図である。
【図８】この考案の実施に使用する箱組立て用のビスを示し、（イ）図は側面図、（ロ）頭部端面を示す拡大正面図である。
【考案を実施するための形態】
【０００９】
この考案においては、ボックスに郵便受け口１４を有する開閉扉２が具備されるが、ボックスの数には制約はなく、必要なだけの構成とすることができるものである。図７にその一例を示す。
【実施例】
【００１０】
宅配受け箱は、上下二段にした２つのボックスの本体１と、上下の開閉扉２，２とからなるもので、上下の間に仕切棚１３を開閉可能に設けられ、また、両開閉扉２，２にはそれぞれ郵便受け口１４，１４が設けられ、上下の開閉扉２，２または上の開閉扉２に自動ロック装置９が設けられる（（図１、図２）
【００１１】
また、本体１の上には、インターフォン３０が搭載されるので、屋内との通話が可能である。業者はこれで宅配便が届いたことを伝えることができ、留守であれば内部に宅配便を格納しロックしておくなど便宜を図ることができる。
【００１２】
本体１と開閉扉２，２とはそれぞれ丈夫なアルミ押出形材からなる多数本のフレームと、その骨組みに支持される多数の外装板材１０とで組み立てられる。
【００１３】
本体１については、隅となる４本の縦フレーム３，３，３，３が配列され、隣接する各縦フレーム３，３の間には、上横フレーム５，５，５，５、中横フレーム６，６，６，６及び下横フレーム７，７，７，７が介在される骨組みであって、それぞれビス１１により連結され、組立てにより生じた各フレームの囲み内に外装板材１０が嵌め込まれる。また、上端に天板１２が下端には図示しない底板が設けられ、その間が通じた通しとなる骨組みであるが、中間に中板として仕切棚１３が設けられる。次に仕切棚１３について幾つかの実施例を説明する。いずれも仕切棚１３が開かれて宅配物品Wが入口から投入され、上下が一つになった内部空間に納められる。
【００１４】
（図４の場合）上段と下段との間には、前記横フレーム６，６，６，６を有するので、仕切棚１３がその上に掛かることによりボックス１，１の内部空間を上下に区画しており、後端にヒンジ５０を設けることにより反転可能に支持される。起立するとこの状態を保持するために仕切棚１３の上端部に磁石５２を取り付け、相手となる壁に吸引片５４が取り付けられる。
（図５の場合）仕切棚１３は、後端にヒンジ５０を設けることは同じであるが、中間に二つ折り可能に中軸５６が設けられる。
（図６の場合）仕切棚１３は、観音開きのように上に反転して開くように２枚の板材１３ａ，１３ａがヒンジ５０，５０で軸支される。
【００１５】
図７は、ボックス１を縦ばかりでなく、横にも配列した場合を示したもので、各縦列においては、各ボックス１，１の間に仕切棚１３が設けられるので、上下両仕切棚１３を開けば、ボックス１，１で全高さにおいて内部空間が通となるものである。６０は言わば予備のボックスである。
【００１６】
開閉扉２については、縦横フレーム４，４，８，８がこれも同じようにビスにより連結され、この枠組みの中に同じように外装板材が嵌め込まれる。そして、この開閉扉２が上下蝶番により本体１の縦フレーム３に取り付けられる。なお、蝶番は、強度を有する両方の縦フレーム３，３に確実にビス止めされる。
【００１７】
各縦横フレーム３，４，５，６，７，８には、外装板材１０を嵌め込むための嵌着溝を有する。これは図示しないが、１８が嵌着溝の一側片を示す。また、ビス１１による連結のため、各横フレーム５、６、７，８には、ビスポケット１５が設けられ、縦フレーム３の中に形成される仕切壁１７を通してビス１１がビスポケット１５に螺入して連結がなされている。
【００１８】
開閉扉２には、自動ロック装置９，９の操作盤２１，２１が強度のある縦フレーム４の外面に取り付けられ、その操作盤２１には、暗証番号の入力ボタン２３，２３、・・が配列されるほか、取っ手２５が突設され、縦フレーム４の裏側には取っ手２５の回転軸と一体に回転するキー板２７が取り付けられる。そこで、宅配業者が開閉扉２を閉めると、キー板２７が上向きから横向きに回転して、本体１の縦フレーム３に掛かることによりロックされ、留守でも安全に保管される。
【００１９】
また、家族が暗証番号の入力により、取っ手２５でキー板２７を下に回転してロックを解除できるようになっている。なお、解除はキー板２７の回転によるので、万一幼児が誤って入ってロックされても、もがく手でキー板２７が下げられ、救助可能にロックが解除され得る安全性も備えているものである。
【００２０】
本体１および開閉扉２に使用されるビス１１は、特に外されるおそれのある個所のものは、不正されないように、頭部２９に有するドライバーの付穴３１が右回りにのみ掛かるようになっている。つまり十文字位置にドライバー先が右回りに掛かる段差の掛止部３３，３３，３３，３３を有するが、左回りには掛からないように欠除による傾斜逃げ部３５が形成される(図８)。
【００２１】
なお、上記実施例ではロック装置が自動式である場合について説明してきたが、ロック装置はこの例に限定されるものではない。
【符号の説明】
【００２２】
１  ボックス
２  開閉扉
３，４  縦フレーム
５，６，７，８  横フレーム
９  自動ロック装置
１０  外装板材
１１  ビス
１３  仕切棚
【図１】
0003211602.tif 000003
【図２】
0003211602.tif 000004
【図３】
0003211602.tif 000005
【図４】
0003211602.tif 000006
【図５】
0003211602.tif 000007
【図６】
0003211602.tif 000008
【図７】
0003211602.tif 000009
【図８】
0003211602.tif 000010
【手続補正書】
【提出日】平成29年5月16日(2017.5.16)
【手続補正１】
【補正対象書類名】実用新案登録請求の範囲
【補正対象項目名】請求項３
【補正方法】変更
【補正の内容】
【請求項３】
屋内と又は屋内及び携帯電話と通話できるインターフォンを装備してなることを特徴とする請求項１または２記載の施錠式宅受け箱。